(57)【要約】      （修正有）【課題】箱の中に収納したタオルを下から順次円滑に取り出すことができるタオル収納具を提供する。【解決手段】収納箱１の上部を解放し収納箱前板２の仕切りシ−ト挿入口１１から１枚目の仕切りシ−トを挿入し、仕切りシ−ト受け９まで下ろし、その上に１枚目の収納タオルをのせたのち、仕切りシ−ト挿入口から２枚目の仕切りシ−トを挿入し、１枚目の収納タオルの上にのせ、２枚目の仕切りシ−トの上に２枚目の収納タオルをのせる。以後３枚目４枚目と仕切りシ−トと収納タオルを交互に収納してゆき、収納が終了したら、最下段の仕切りシ−トを抜き取る。抜き取った後は最下段の収納タオルが収納箱の底板５の上に落下する。落下したタオルをタオル取出口から抜き取り使用する。【選択図】図１
0003142578.tif 000002
【実用新案登録請求の範囲】
【請求項１】
直方体の箱であって箱の上部に蓋を有し、箱の正面部の下部に横方向の開口部と横方向のほぼ中央から箱正面の垂直方向に立ち上がる縦方向の開口部からなるＩ字型の開口部を有する箱と、箱の内部に格納する仕切りシ−トからなり、仕切りシ−トは５ｍｍから１５ｍｍの間の厚さの寸法からなり、箱の垂直開口部から飛び出す取手を有することを特徴とする落下式タオル収納具
【考案の詳細な説明】
【技術分野】
【０００１】
本考案は、洗濯したタオル等の収納、取り出しに関し、洗濯した順番に取り出すことのできる落下式タオル収納具に関するものである。
【背景技術】
【０００２】
通常洗濯したタオル等は上から積み重ねられ、また使用される場合も上から順番に使用される。この場合使用されるタオルは洗ったばかりのタオルを使用することになると共に、下に積み重ねられたタオルは何時までも使用されることがない問題がある。
【０００３】
従来、上記の問題を解決するためいくつかの方法が既に開示されている。
文献１では、理容用タオル収容箱が開示されており、上から投入し下から取り出すようになっている。しかしこの場合にタオルが連続に重なっているため一枚ずつタオルを取り出すには難点がある。また、文献２では箱を開閉することなしに箱の下からタオルを取り出す形式であるが、文献１と同様、複数のタオルの落下や出口が詰まってしまうことが起こる。      
文献３では、解放のタオル棚が開示されており確かにタオルの間は上下にスライド可能な棚板で区切られているが、開放式であるため埃などが溜まり汚れてしまう。またタオルが落ちたりする問題がある。さらに棚板の昇降部や棚の強度などが必要であり制作に
手間とコストがかかる。
したがって、タオルを確実に一枚ずつ取り出せると共に、製作も容易で費用もかからないタオル収納具が求められる。
【特許文献１】実用新案公告昭４６−６１１９号
【特許文献２】特開２００３−２１０２６６号
【特許文献３】特開２００５−１６０９９５号
【考案の開示】
【考案が解決しようとする課題】
【０００４】
解決しようとする問題点は、洗濯したタオル等の収納、取り出しに関し、洗濯した古い順番に取り出すことのできる落下式タオル収納具に関するものである。
【課題を解決するための手段】
【０００５】
上記問題点を解決するため、上記の収納箱の上部から投入され積み重ねたタオルのあいだに仕切りを入れ、タオルを一枚ずつ円滑に収納箱の最下段から取り出すことで、洗濯したタオルを洗濯した順番に使用できるようにする方法を提供するものである。
【０００６】
つまり、前面部の最下部に横方向の開口部とほぼ中央に垂直方向の開口部を設け、横方向の開口部と垂直開口部は連続してＩ字型となる開口部を箱の前面に有するほぼ直方体の収納箱を用意する。最下部の横方向の開口部の高さは、折りたたんだ一枚のタオルの高さより高くし、垂直開口部は箱の上部近くまで開口している。箱の上部には蓋を取り付けるが必ずしも必要ではない。
【０００７】
箱の内部にはタオルのあいだに仕切りシ−トを格納する。仕切シ−トは箱の内部に納まる大きさのものを用い、箱の垂直方向開口部の幅以下の取手を有し、取手が垂直開口部から突き出ているため、タオルが最下段まで落ちて来たら取手をつかみ、仕切りシ−トを抜き取り、タオルを底板上に落とし、落としたタオルをタオル取り出し口から取り出すものである。
【考案の効果】
【０００８】
本考案の落下式タオル収納具は、収納箱の中にまず仕切りシ−トを入れ、その上に洗ったタオルを入れ次に仕切りシ−トと、下から順に交互に乗せていき、箱の上部まで収納されたら、最下段の仕切りシ−トを下部のタオル取り出し口から抜き取ると、底板の上にタオルが落下し、そのタオルを使用する。その場合、仕切りシ−トは滑りやすい材質のものを使用しているので、タオルが引っかかることなくスム−スに引き抜くことが出来る。上述のように先に設置したものから順番に下部の取り出し口から円滑に取り出せる装置である。
【実施例】
【０００９】
以下に本考案による落下式タオル収納具の実施例について図１、図２，図３、を参照して説明する。図１は落下式タオル収納具の収納箱の斜視図である。図２は取手のついた仕切りシ−トである。図３は落下式タオル収納具にタオル及び仕切りシ−トを収納した実施例の断面図を示したものである。
図３においてはじめは収納箱と蓋のみが装着された状態である。以下実施法を示す。
【００１０】
まず収納箱１の蓋１３を取り、１枚目の仕切りシ−ト６を仕切りシ−ト挿入口１から挿入し、仕切りシ−ト取手通過溝１５を通して仕切りシ−ト受け９まで下ろし固定し、次に、１枚目の収納用タオル７を１枚目の仕切りシ−ト６の上に収納する、次いで２枚目の仕切りシ−ト６を１枚目と同様にして１枚目の収納用タオル７の上に格納する、次に２枚目の収納用タオル７を２枚目の仕切りシ−ト６の上に収納する、以下順次、収納可能な枚数の収納タオルを収納する。収納が終了したら、最下段の仕切りシ−ト６を引き抜くと最下段の収納タオル７が底板５の上に落ちる。落ちたタオルをタオル取り出し口１２から取り出す。引き抜いた仕切りシ−ト６は仕切りシ−ト挿入口１から挿入し、最上段に収納してある収納タオル７の上に格納する。新しいタオルは、前述の最上段の仕切りシ−ト６の上に収納する。
【００１１】
この操作を繰り返し行うことにより古いタオルから順に使用可能で、しかも平滑な仕切りシ−ト６を収納タオル７の間に挟むことにより、タオル同志の引っかかりを防止しスム−スに取り出せる。収納箱は必要に応じて横壁面又は、後壁面に取り付けネジにより取り付けた後使用することもできる。
【産業上の利用可能性】
【００１２】
落下式タオル収納具は、収納箱の中にまず仕切りシ−トを入れ、その上に洗ったタオルを入れ次に仕切りシ−トと、下から順に交互に乗せてゆくことで選択したタオルを古い順に容易に収納及び取り出すことが少ない部品とコストにより可能とした。
【図面の簡単な説明】
【００１３】
【図１】タオル収納具の収納箱の全体を示す斜視図である。
【図２】仕切りシ−トを示す図である。
【図３】タオル収納具にタオルを収納した状態を示す右側面図である。
【符号の説明】
【００１４】
１  収納箱
２  前板
３  後板
４  側板
５  底板
６  仕切りシ−ト
７  収納タオル
８  取出し前のタオル
９  仕切りシ−ト受け
１０  蓋受け
１１  仕切りシ−ト挿入口
１２  タオル取出し口
１３  蓋
１４  蓋のツマミ
１５  仕切りシ−ト取手通過溝  
【図１】
0003142578.tif 000003
【図２】
0003142578.tif 000004
【図３】
0003142578.tif 000005